(57)【要約】【課題】ワークを折り曲げ加工機に装着の状態で、仕上げ直前の角度状況を把握しようとする【解決手段】折り曲げ加工機１によって曲げ加工されたワーク４の折り曲げ角度を測定する測定具であって、支点ピンまわりに相対的に回動可能な第１測定部と第２測定部との各基準縁のなす角度を設定可能に構成し、この基準縁の一方を折り曲げ加工機の上・下金型に沿わせ他方の基準縁をワーク側に位置させてワークの所定角度の仕上げの有無を目視判定すべく構成したワークの曲げ加工角度測定具とする。また、基準縁の一方を金型に沿わせて磁石等によって固着してなる。【選択図】              図１
2004148335.tif 000002
【特許請求の範囲】
【請求項１】
折り曲げ加工機によって曲げ加工されたワークの折り曲げ角度を測定する測定具であって、支点ピンまわりに相対的に回動可能な第１測定部と第２測定部との各基準縁のなす角度を設定可能に構成し、この基準縁の一方を折り曲げ加工機の上・下金型に沿わせ他方の基準縁をワーク側に位置させてワークの所定角度の仕上げの有無を目視判定すべく構成したワークの曲げ加工角度測定具。
【請求項２】
基準縁の一方を金型の基準面に沿わせて磁石等によって着脱自在に設けてなる請求項１に記載のワークの曲げ加工角度測定具。
【発明の詳細な説明】
【０００１】
【発明の属する技術分野】
本発明は、板金ワークの曲げ加工角度を測定するためのワークの曲げ加工角度測定具に関する。
【０００２】
【従来の技術】
従来、重力により常に鉛直方向を指向する分銅手段とワークの傾斜と共にこの分銅手段に対して相対回転してその回転量に対応する角度を検知できるインジケータをワーク自体に取付け、曲げ加工角度を知る構成がある（特許文献１）。また、曲げ加工機により曲げ加工されたワークの一辺を基準面である第一支持部材に当接せしめた状態でスライドさせ、ワークの曲げられた他辺を回転自在の回転子に押し付けて密着させ、このときの前記回転子の回転角度を読み取ることによりワークの曲げ角度を求める方法がある（特許文献２）。
【０００３】
【特許文献１】
特開平０７−７７４０１号公報
【特許文献２】
特開２００１−２５９７４５号公報
【０００４】
【発明が解決しようとする課題】
しかしながら、前者の構成はワークを折り曲げ加工機に装着の状態でインジケータによって当該折り曲げ角度を読み取ることができるものの、折り曲げ加工された角度を知れるだけで折り曲げ仕上げ直前の角度状況を把握することが困難である。また、後者の構成では一旦ワークを折り曲げ加工機から取り外して該ワークの折り曲げ角度をチェックするものであるから折り曲げ不足の場合には再度折り曲げ加工機への取付けを要して煩雑であり時間を要する欠点がある。
【０００５】
【課題を解決するための手段】
上記課題を解決するために、請求項１に係る発明は、折り曲げ加工機１によって曲げ加工されたワーク４の折り曲げ角度を測定する測定具であって、支点ピンまわりに相対的に回動可能な第１測定部と第２測定部との各基準縁のなす角度を設定可能に構成し、この基準縁の一方を折り曲げ加工機の上・下金型に沿わせ他方の基準縁をワーク側に位置させてワークの所定角度の仕上げの有無を目視判定すべく構成したワークの曲げ加工角度測定具とする。
【０００６】
これによって、作業員は、ワーク４を所定に折り曲げるが、曲げ加工角度測定具５の矢印（ロ）の指示する角度が所定仕上げ角度ＷＳとなるよう第１測定部６及び第２測定部７の各基準縁９，１０のなす角度を所望にセットしておく。作業員は仕上り近傍を察知すると、曲げ加工角度測定具５の第１測定部６の基準縁９を下部金型３に当て、第２測定部７の基準縁１０とワーク４との間隔Ｔを確認して、所定角度に仕上ったか否か判定できる。
【０００７】
また、請求項２に記載の発明は、基準縁の一方を金型の基準面に沿わせて磁石等によって着脱自在に設ける。もって磁力等によって曲げ加工角度測定具５´を金型に固定できるから、作業途中での折り曲げ角度の確認の際、手を添える必要がない。
【０００８】
【発明の効果】
請求項１に記載の発明は、ワーク４の折り曲げ作業中に該ワーク４を取り外すことなく、仕上げ角度までの間隔Ｔの存否およびその大小を確認しながら仕上げ角度までの仕上げ折り曲げ処理の程度を決定することができる。
【０００９】
又請求項２に記載の発明は、磁力によって曲げ加工角度測定具５´を金型に固定できる構成であるから、作業途中での折り曲げ角度の確認の際、手を添える必要がなくワーク４の折り曲げ作業中に該ワーク４を取り外すことなく、仕上げ角度までの間隔Ｔの存否およびその大小を確認しながら当該仕上げ角度までの仕上げ折り曲げ処理の程度を決定することができる。
【００１０】
【発明の実施の形態】
具体的に構成された実施の形態について以下に図面を参照しつつ本発明のワークの曲げ加工角度測定具について説明する。
折り曲げ加工機１は、上下の金型２，３を備え、下部金型３上にワークとしての板金材４を載せて上昇させると上部金型２との間で所定角度に折り曲げられる公知の構成である。
【００１１】
曲げ加工角度測定具５は、扇型形状の第１測定部６と、この第１測定部６よりもやや小型の扇型形状に形成された第２測定部７とからなる。両測定部６及び７は基部の支点ピン８で枢着されて、第１測定部６側の基準縁９と第２測定部７側の基準縁１０のなす角度を任意に変更可能に構成している。そして、第１測定部６には円弧状に長孔１１を形成し、該長孔１１と第２測定部７の固定孔とを同時に貫通させた固定ピン１２にはロックナット１３を螺着して、このロックナット１３を緩めて上記両基準縁９，１０のなす角度を調整し、所定角度でロックナット１３を締めて角度を固定する構成である。
【００１２】
上記の第１測定部６には、仕上り角度目盛り（イ）を設け、一方第２測定部７には該目盛り（イ）を指示する矢印（ロ）を設けている。
上記第１測定部６の基準縁９を下部金型３の鉛直壁面１４に当て、第２測定部７の基準縁１０をワーク４の下面に沿わせてワーク４の折り曲げ角度Ｗを測定できる構成であり、つまり、上記目盛り（イ）は、ワーク４の非折り曲げ状態では１８０°を指し、ワーク４の折り曲げ角度Ｗに対応すべく目盛り（イ）を描いている。
【００１３】
上例の作用について説明する。
作業員は、ワーク４を下部金型３に載せ、図外スイッチ操作で下部金型３に上昇動作を行わせ、上部金型２との接当押圧によってワーク４は所定に折り曲げられる。
【００１４】
上記スイッチ操作の前に曲げ加工角度測定具５の矢印（ロ）の指示する角度が所定仕上げ角度ＷＳとなるようセットすると共に、ロックナット１３をもって固定しておく。
作業員は仕上り近傍を察知すると、曲げ加工角度測定具５の第１測定部６の基準縁９を下部金型３の鉛直壁面１４に当て、第２測定部７の基準縁１０とワーク４（図１中実線）との間隔Ｔを確認して、仕上げの折り曲げを実行するものである。
【００１５】
そして再度、曲げ加工角度測定具５によって第２測定部７の基準縁１０とワーク４との間隔Ｔを確認する。この間隔Ｔが無くなるとワーク４は所定の角度ＷＳに仕上がったこととなる（図１中仮想線）。
上記のようにワーク４の折り曲げ作業中に該ワーク４を取り外すことなく、間隔Ｔの存否およびその大小を確認しながら仕上げ角度までの仕上げ折り曲げ処理の程度を決定することができる。
【００１６】
なお、上記の目盛り（イ）の付与設定にあたっては、所謂スプリングバックに配慮している。すなわち、板金材を折り曲げ処理するときには所定折り曲げ角度から僅かに弾性的な戻り現象を生じ、スプリングバックと称されるが、このため所望の折り曲げ角度を得るためには、所定に過剰折り曲げ処理を施す必要があり、この過剰分ΔＷを板厚及び材質によって予め知っておき目盛り（イ）を設定するものである。したがって、この板厚や材質毎に個別に曲げ加工角度測定具５を準備しておくとよい。
【００１７】
なお、本実施例では、第１測定部６と第２測定部７のうち、第１測定部６側に目盛り（イ）を付与したが、第２測定部７側に設けてもよい。
図３〜５は曲げ加工角度測定具の別実施例を示す。この実施例では、曲げ加工角度測定具５´によって、上部金型２の鉛直壁面１５とワーク４の上面とのなす角度Ｗ´を測定しうる構成である。目盛り（イ）を付与した第１測定部１６の該鉛直壁面１５との接触を維持するため第１測定部１６の基準縁１７をＬ型に折り曲げこの折り曲げ部１８に磁石１９を構成し、第１測定部１６が第２測定部２０を伴って上部金型２に固定維持されるものとなる。第１測定部１６と第２測定部２０との関係は上記の第１の実施例と共通である。また、第１の実施例と共通の構成については同一の符号を用いて一部説明を省略している。
【００１８】
このように、磁力によって曲げ加工角度測定具５´を金型に固定できる構成とすると、作業途中での折り曲げ角度の確認の際、手を添える必要がなく便利である。
【図面の簡単な説明】
【図１】第１の実施例に係る側断面図である。
【図２】第１の実施例の曲げ加工角度測定具の斜視図である。
【図３】その断面図である。
【図４】第２の実施例に係る側断面図である。
【図５】第２の実施例に係る曲げ加工角度測定具の斜視図である。
【図６】その断面図である。
【符号の説明】
１…折り曲げ加工機、２…上部金型、３…下部金型、４…ワーク、５…曲げ加工角度測定具、６…第１測定部、７…第２測定部、８…支点ピン、９，１０…基準縁、１１…長孔、１２…固定孔、１３…ロックナット、１４…垂直壁面、（イ）…角度目盛り、（ロ）…矢印、Ｗ…折り曲げ角度
【図１】
2004148335.tif 000003
【図２】
2004148335.tif 000004
【図３】
2004148335.tif 000005
【図４】
2004148335.tif 000006
【図５】
2004148335.tif 000007
【図６】
2004148335.tif 000008